(57)【要約】【課題】  いろいろなところで使用でき、持続的に広い範囲で温度を下げる効果が期待できるパネル体の提供。【解決手段】  上下に間隔をおいて配置した複数のルーバー１，１，…を備え、ルーバーは、見込方向の一方側に向かって上り勾配で傾斜したもの１ａと、見込方向の一方側に向かって下り勾配で傾斜したもの１ｂとが隣接して配置した部分を有し、隣接するルーバー１ａ，１ｂの少なくとも一方が保水性材料からなる。【選択図】      図１
2017150249.tif 000002
【特許請求の範囲】
【請求項１】
上下に間隔をおいて配置した複数のルーバーを備え、ルーバーは、見込方向の一方側に向かって上り勾配で傾斜したものと、見込方向の一方側に向かって下り勾配で傾斜したものとが隣接して配置した部分を有し、隣接するルーバーの少なくとも一方が保水性材料からなることを特徴とするパネル体。
【請求項２】
左右に間隔をおいて配置した複数のルーバーを備え、ルーバーは、見込方向の一方側に向かって左向きに傾斜したものと、見込方向の一方側に向かって右向きに傾斜したものとが隣接して配置した部分を有し、隣接するルーバーの少なくとも一方が保水性材料からなることを特徴とするパネル体。
【発明の詳細な説明】
【技術分野】
【０００１】
本発明は、気温を下げる効果のあるパネル体に関する。
【背景技術】
【０００２】
近年、太陽光発電や屋上緑化等を採用し、ＣＯ２削減や省エネが可能なスマートハウス、スマートタウンへの関心が高まりつつある。ここでは、ヒートアイランド現象を緩和するため、街並み全体を涼しくできる技術が求められている。従来、暑さをしのぐためには打ち水等をするのが一般的であるが、その効果は一時的で、且つ局所的なものでしかなかった。また、バルコニーのパネルや面格子など、敷地境界だけでなくいろいろなところで用いることのできるものが求められた。
【発明の概要】
【発明が解決しようとする課題】
【０００３】
本発明は以上に述べた実情に鑑み、いろいろなところで使用でき、持続的に広い範囲で温度を下げる効果が期待できるパネル体の提供を目的とする。
【課題を解決するための手段】
【０００４】
上記の課題を達成するために請求項１記載の発明によるパネル体は、上下に間隔をおいて配置した複数のルーバーを備え、ルーバーは、見込方向の一方側に向かって上り勾配で傾斜したものと、見込方向の一方側に向かって下り勾配で傾斜したものとが隣接して配置した部分を有し、隣接するルーバーの少なくとも一方が保水性材料からなることを特徴とする。
【０００５】
請求項２記載の発明によるパネル体は、左右に間隔をおいて配置した複数のルーバーを備え、ルーバーは、見込方向の一方側に向かって左向きに傾斜したものと、見込方向の一方側に向かって右向きに傾斜したものとが隣接して配置した部分を有し、隣接するルーバーの少なくとも一方が保水性材料からなることを特徴とする。
【発明の効果】
【０００６】
請求項１記載の発明によるパネル体は、上下に間隔をおいて配置した複数のルーバーを備え、ルーバーは、見込方向の一方側に向かって上り勾配で傾斜したものと、見込方向の一方側に向かって下り勾配で傾斜したものとが隣接して配置した部分を有し、隣接するルーバーの少なくとも一方が保水性材料からなるので、バルコニーのパネルや面格子など、敷地境界だけでなくいろいろなところで用いることができ、打ち水や降雨により各保水性材料よりなるルーバーに保持された水が少しずつ蒸発し、ルーバー間の隙間を風が通ることで、持続的に広い範囲で温度を下げる効果が期待できる。ルーバーは、上り勾配で傾斜したものと下り勾配で傾斜したものとが隣接して配置してあることで、同じ向きに傾けて並べたものと比べて、ルーバーの枚数を少なくしても一定の冷却効果が得られ、コストダウンが図れる。また、ルーバーを同じ向きに傾けて並べた場合には、ルーバーを風が通過するときに風向きが変わるが、上り勾配で傾斜したものと下り勾配で傾斜したものを隣接して配置したことで、風向きを変えない。
【０００７】
請求項２記載の発明によるパネル体は、左右に間隔をおいて配置した複数のルーバーを備え、ルーバーは、見込方向の一方側に向かって左向きに傾斜したものと、見込方向の一方側に向かって右向きに傾斜したものとが隣接して配置した部分を有し、隣接するルーバーの少なくとも一方が保水性材料からなるので、バルコニーのパネルや面格子など、敷地境界だけでなくいろいろなところで用いることができ、打ち水や降雨により各保水性材料からなるルーバーに保持された水が少しずつ蒸発し、ルーバー間の隙間を風が通ることで、持続的に広い範囲で温度を下げる効果が期待できる。ルーバーは、左向きに傾斜したものと右向きに傾斜したものとが隣接して配置してあることで、同じ向きに傾けて並べたものと比べて、ルーバーの枚数を少なくしても一定の冷却効果が得られ、コストダウンが図れる。また、ルーバーを同じ向きに傾けて並べた場合には、ルーバーを風が通過するときに風向きが変わるが、左向きに傾斜したものと右向きに傾斜したものを隣接して配置したことで、風向きを変えない。
【図面の簡単な説明】
【０００８】
【図１】図３のＡ−Ａ断面図である。
【図２】図３に示すパネル体の平面図である。
【図３】本発明に係るパネル体の第１実施形態を示す敷地側から見た正面図である。
【図４】第１実施形態のパネル体の使用状態を示す縦断面図である。
【図５】第１実施形態のパネル体の変形例を示す縦断面図である。
【図６】第１実施形態のパネル体の他の変形例を示す縦断面図である。
【図７】本発明に係るパネル体の第２実施形態を示す敷地側から見た正面図である。
【図８】図７のＢ−Ｂ断面図である。
【図９】第２実施形態のパネル体の変形例を示す縦断面図である。
【図１０】第２実施形態のパネル体の他の変形例を示す縦断面図である。
【発明を実施するための形態】
【０００９】
以下、本発明の実施の形態を図面に基づいて説明する。図１〜３は、本発明に係るパネル体の第１実施形態であって、道路と敷地の境界に設けられるフェンスに適用した場合を示している。本パネル体は、図３に示すように、地面より支柱２，２，…を間隔をおいて立設し、各支柱２，２間に横長長方形の帯板状のルーバー１，１，…を上下に間隔をおいて配置して構成してある。本パネル体は、上下に間隔をおいて配置された複数のルーバー１，１，…よりなるユニット３ａ，３ｂ，３ｃを、ルーバー１の長手方向に３つ備えている。ルーバー１，１，…は、大部分が保水性材料からなるものであり、所々にアルミ製のルーバー４がランダムに配置されている（図３中、ハッチングしたものがアルミ製ルーバーである。）。
【００１０】
中央のユニット３ｂにおいてルーバー１，１，…は、図１に示すように、道路側に向かって上り勾配で傾斜したもの１ａと、道路側に向かって下り勾配で傾斜したもの１ｂとが交互に配置されている。上り勾配で傾斜したルーバー１ａの傾斜角度αは一定であり、下り勾配で傾斜したルーバー１ｂの傾斜角度βも一定である。また、上り勾配で傾斜したルーバー１ａの傾斜角度αと、下り勾配で傾斜したルーバー１ｂの傾斜角度βは、逆向きの同じ角度となっている。例えば傾斜角度αが２０°とすると、傾斜角度βは−２０°としてある。また、ルーバー１ａ，１ｂ間の隙間寸法ｄは、一定の寸法としてある。
【００１１】
保水性材料からなるルーバー１は、粘土や珪藻土等を焼成した多孔質構造の発泡セラミックで形成され、図４（ａ）に示すように、ホース等で水をかけたり雨が降ったりすると、図中の矢印５に示すように、表裏面から水を吸収し、内部に水を保持できる。ルーバー１内に吸収された水は、図４（ｂ）に示すように、図中の矢印６に示すようにルーバー１の面内方向によく浸透し、図中の矢印７に示すように、ルーバー１の端面から水がしみ出す。本パネル体は、上り勾配で傾斜したルーバー１ａと下り勾配で傾斜したルーバー１ｂとが交互に配置されていることで、上段のルーバー１の端面から排出された水が下段のルーバー１へと順次供給されるため、パネル体内の保水性材料よりなるルーバー１，１，…全体にむらなく水を保持することができる。水を保持したルーバー１が太陽熱で暖められると、図４（ｃ）に示すように、図中の矢印８に示すように、ルーバー１から水が少しずつ蒸発し、ルーバー１，１間の隙間を風９が通ることで、気化冷却効果により気温が低下する。現物を使用した実験によれば、パネル体の風上側と風下側とで気温が約２℃低下した。
【００１２】
アルミ製のルーバー４は、図１に示すように、略櫛型断面のアルミ形材２つを組み合わせ、ねじ止めして構成してある。アルミ製のルーバー４も、保水性材料よりなるルーバー１と同様に傾斜して配置してある。
【００１３】
図１，２に示すように、支柱２の側面にはルーバー１を取付けるための取付具１０が設けてある。取付具１０は、支柱取付片１１とルーバー支持片１２とを有するＬ形の金具であり、支柱取付片１１は回り止め用の突起１３を支柱２の孔に係合させた上、１本のネジ１４で支柱２に取付けてある。保水性材料よりなるルーバー１は、左右両端部にインサートナット１５が裏面側から埋め込んで設けてあり、ルーバー１の左右両端部を取付具１０のルーバー支持片１２上に支持し、裏面側から挿入したネジ１６をインサートナット１５に螺入することで、ルーバー１が支柱２，２間に取付けられている。アルミ製のルーバー４も、保水性材料よりなるルーバー１と同様に取付けてある。
【００１４】
中央のユニット３ｂの側方に隣接する左右のユニット３ａ，３ｃは、図１に示すように、中央のユニット３ｂと同じように、ルーバー１，１，…が道路側に向かって上り勾配で傾斜したもの１ａと、道路側に向かって下り勾配で傾斜したもの１ｂとが交互に配置してあり、各ルーバー１ａ，１ｂの傾斜角度α，β及び各ルーバー１ａ，１ｂ間の隙間寸法ｄを一定にしてある。中央のユニット３ｂでルーバー１ａが上り勾配で傾斜して取付けられた高さ位置では、左右のユニット３ａ，３ｃではルーバー１ｂが下り勾配で傾斜して取付けられ、中央のユニット３ｂでルーバー１ｂが下り勾配で傾斜して取付けられた高さ位置では、左右のユニット３ａ，３ｃではルーバー１ａが上り勾配で傾斜して取付けられている。すなわち、中央のユニット３ｂと左右のユニット３ａ，３ｃとでは、同じ高さ位置に取付けられるルーバー１の傾斜が逆になっている。
【００１５】
以上に述べたように本パネル体は、上下に間隔をおいて配置した複数のルーバー１，１，…を備え、ルーバー１，１，…は、道路側に向かって上り勾配で傾斜したもの１ａと、道路側に向かって下り勾配で傾斜したもの１ｂとが隣接して配置した部分を有し、隣接するルーバー１ａ，１ｂの少なくとも一方が保水性材料からなるので、打ち水や降雨により各保水性材料よりなるルーバー１ａ，１ｂに保持された水が少しずつ蒸発し、ルーバー１ａ，１ｂ間の隙間を風が通ることで、持続的に広い範囲で温度を下げる効果が期待できる。ルーバー１，１，…は、上り勾配で傾斜したもの１ａと下り勾配で傾斜したもの１ｂとが隣接して配置してあることで、同じ向きに傾けて並べたものと比べて、ルーバー１の枚数を少なくしても一定の冷却効果が得られ、コストダウンが図れる。また、ルーバー１，１，…を同じ向きに傾けて並べた場合には、ルーバー１，１，…を風が通過するときに風向きが変わるが、上り勾配で傾斜したもの１ａと下り勾配で傾斜したもの１ｂを隣接して配置したことで、風向きを変えない。
保水性材料からなるルーバー１は、表裏面から水を吸収し、端面から水を排出するため、降雨などで上方から水がかかったとき、順に下のルーバー１まで水を行きわたらせることができる。さらに、道路側に向かって上り勾配で傾斜したルーバー１ａと、道路側に向かって下り勾配で傾斜したルーバー１ｂを交互に配置することで、水が上段のルーバー１から下段のルーバー１に順次流れ落ちると共に、水が各ルーバー１，１，…内を幅方向の全長に流れるので、ルーバー１，１，…全体に水を行きわたらせる効果が高い。
大部分の保水性材料からなるルーバー１，１，…の中に少しのアルミ製のルーバー４をランダムに混ぜて配置したことで、意匠に変化を持たせられる。
【００１６】
図５は、第１実施形態のパネル体の変形例を示している。このパネル体は、上下方向に間隔をおいて配置した複数のルーバー１，１，…よりなる一つのユニット３ａ中に、ルーバー１ａ，１ｂの傾斜角度α，β又はルーバー１同士の間隔寸法ｄの異なる部分を有する。図示のものでは、上段部と中断部と下段部とで、ルーバー１ａ，１ｂの傾斜角度α，β及びルーバー１同士の間隔寸法ｄをそれぞれ異ならせている。
このように、一つのユニット３ａ中にルーバー１ａ，１ｂの傾斜角度α，β又はルーバー１同士の間隔寸法ｄの異なる部分を有することで、打ち水による冷却効果や目隠し効果を適宜調節でき、パネル体全体で効率の良い効果を演出できる。
【００１７】
図６は、第１実施形態のパネル体の他の変形例を示している。このパネル体は、上下方向に間隔をおいて配置した複数のルーバー１，１，…よりなるユニット３ａ，３ｂをルーバー１の長手方向に複数有し、隣り合うユニット３ａ，３ｂのうちに、ルーバー１ａ，１ｂの傾斜角度α，β又はルーバー１同士の間隔寸法ｄの異なる部分を有する。図示の例では、例えば図中手前側のユニット３ａのＡ部と、図中奥側のユニット３ｂのＢ部とでは、ルーバーの傾斜角度α，β及びルーバー同士の間隔寸法ｄをそれぞれ異ならせている。また、隣り合うユニット３ａ，３ｂでルーバー１，１，…を逆向きに取付けている。
このように、隣り合うユニット３ａ，３ｂのうちに、ルーバー１ａ，１ｂの傾斜角度α，β又はルーバー１同士の間隔寸法ｄの異なる部分を有することで、打ち水による冷却効果や目隠し効果を適宜調節でき、パネル体全体で効率の良い効果を演出できる。特に、隣り合うユニット３ａ，３ｂでルーバー１，１，…を逆向きに取付けたときには、風の出口側で風の流れが均一になり、効果の均一化が図れる。
【００１８】
図７，８は、本発明に係るパネル体の第２実施形態を示している。本パネル体も、道路と敷地の境界に設けられるフェンスに適用したものである。
本パネル体は、図７に示すように、上下方向に間隔をおいて横桟１７，１７，１７が設けてあり、各横桟１７，１７間に縦長長方形の帯板状のルーバー１，１，…を左右に間隔をおいて配置して構成してある。本パネル体は、左右に間隔をおいて配置された複数のルーバー１，１，…よりなるユニット３ａ，３ｂを、ルーバー１の長手方向に２つ備えている。ルーバー１は、保水性材料からなるものである。
【００１９】
上側のユニット３ａにおいてルーバー１は、図８に示すように、道路側に向かって左向きに傾斜したもの１ｃと、道路側に向かって右向きに傾斜したもの１ｄとが交互に配置されている。左向きに傾斜したルーバー１ｃの傾斜角度αは一定であり、右向きに傾斜したルーバー１ｄの傾斜角度βも一定である。また、左向きに傾斜したルーバー１ｃの傾斜角度αと、右向きに傾斜したルーバー１ｄの傾斜角度βは、逆向きの同じ角度となっている。例えば傾斜角度αが２０°とすると、傾斜角度βは−２０°としてある。また、ルーバー１ｃ，１ｄ間の隙間寸法ｄは、一定の寸法としてある。
【００２０】
下側のユニット３ｂは、上側のユニット３ａと同じように、ルーバー１，１，…が道路側に向かって左向きに傾斜したもの１ｃと、道路側に向かって右向きに傾斜したもの１ｄとが交互に配置してあり、各ルーバー１ｃ，１ｄの傾斜角度α，β及び各ルーバー１ｃ，１ｄ間の隙間寸法ｄを一定にしてある。上側のユニット３ａでルーバー１ｃが左向きに傾斜して取付けられた左右方向位置では、下側のユニット３ｂではルーバー１ｄが右向きに傾斜して取付けられ、上側のユニット３ａでルーバー１ｄが右向きに傾斜して取付けられた左右方向位置では、下側のユニット３ｂではルーバー１ｃが左向きに傾斜して取付けられている。すなわち、上側のユニット３ａと下側のユニット３ｂとでは、同じ左右方向位置に取付けられるルーバー１の傾斜が逆になっている。
【００２１】
以上に述べたように本パネル体は、左右に間隔をおいて配置した複数のルーバー１，１，…を備え、ルーバー１，１，…は、道路側に向かって左向きに傾斜したもの１ｃと、道路側に向かって右向きに傾斜したもの１ｄとが隣接して配置した部分を有し、隣接するルーバー１ｃ，１ｄの少なくとも一方が保水性材料からなるので、打ち水や降雨により各保水性材料よりなるルーバー１ｃ，１ｄに保持された水が少しずつ蒸発し、ルーバー１ｃ，１ｄ間の隙間を風が通ることで、持続的に広い範囲で温度を下げる効果が期待できる。ルーバー１，１，…は、左向きに傾斜したもの１ｃと右向きに傾斜したもの１ｄとが隣接して配置してあることで、同じ向きに傾けて並べたものと比べて、ルーバー１の枚数を少なくしても一定の冷却効果が得られ、コストダウンが図れる。また、ルーバー１，１，…を同じ向きに傾けて並べた場合には、ルーバー１，１，…を風が通過するときに風向きが変わるが、左向きに傾斜したもの１ｃと右向きに傾斜したもの１ｄを隣接して配置したことで、風向きを変えない。
保水性材料からなるルーバー１は、表裏面から水を吸収し、端面から水を排出するため、降雨などで上方から水がかかったとき、順に下のルーバーまで水を行きわたらせることができる。
【００２２】
図９は、第２実施形態のパネル体の変形例を示している。このパネル体は、左右方向に間隔をおいて配置した複数のルーバー１，１，…よりなる一つのユニット３ａ中に、ルーバー１ｃ，１ｄの傾斜角度α，β又はルーバー１同士の間隔寸法ｄの異なる部分を有する。図示のものでは、ルーバー１ｃ，１ｄの傾斜角度α，β及びルーバー１同士の間隔寸法ｄをそれぞれ異ならせている。
このように、一つのユニット３ａ中にルーバー１ｃ，１ｄの傾斜角度α，β又はルーバー１同士の間隔寸法ｄの異なる部分を有することで、打ち水による冷却効果や目隠し効果を適宜調節でき、パネル体全体で効率の良い効果を演出できる。
【００２３】
図１０は、第２実施形態のパネル体の他の変形例を示している。このパネル体は、左右方向に間隔をおいて配置した複数のルーバー１，１，…よりなるユニット３ａ，３ｂをルーバー１の長手方向に複数有し、隣り合うユニット３ａ，３ｂのうちに、ルーバー１ｃ，１ｄの傾斜角度α，β又はルーバー１同士の間隔寸法ｄの異なる部分を有する。図示の例では、例えば図中手前側のユニット３ａのＣ部と、図中奥側のユニット３ｂのＤ部とでは、ルーバー１ｃ，１ｄの傾斜角度α，β及びルーバー１同士の間隔寸法ｄをそれぞれ異ならせている。また、隣り合うユニット３ａ，３ｂでルーバー１を逆向きに取付けている。
このように、隣り合うユニット３ａ，３ｂのうちに、ルーバー１ｃ，１ｄの傾斜角度α，β又はルーバー１同士の間隔寸法ｄの異なる部分を有することで、打ち水による冷却効果や目隠し効果を適宜調節でき、パネル体全体で効率の良い効果を演出できる。特に、隣り合うユニット３ａ，３ｂでルーバー１を逆向きに取付けたときには、風の出口側で風の流れが均一になり、効果の均一化が図れる。
【００２４】
本発明は以上に述べた実施形態に限定されない。ルーバーを支持する支柱等の支持部材の構成、支持部材へのルーバーの取付け方は、任意である。保水性材料からなるルーバーは、発泡セラミックに限らず、保水性を有する材料を適宜選択して用いることができる。第１実施形態のパネル体は、ルーバーが見込方向の一方側に向かって上り勾配で傾斜したものと、見込方向の一方側に向かって下り勾配で傾斜したものとが隣接して配置した部分を一箇所でも有していればよく、そのように逆向きに傾斜したルーバー２枚だけで構成されたものであってもよい。また、すべてのルーバーが傾斜している必要はない。第２実施形態のパネル体は、ルーバーが見込方向の一方側に向かって左向きに傾斜したものと、見込方向の一方側に向かって右向きに傾斜したものとが隣接して配置した部分を一箇所でも有していればよく、そのように逆向きに傾斜したルーバー２枚だけで構成されたものであってもよい。また、すべてのルーバーが傾斜している必要はない。第１実施形態のパネル体と第２実施形態のパネル体を組み合せて用いてもよい。各ルーバーは、支柱２に対して回動自在とし、取付角度を変更自在としてもよい。本発明のパネル体は、道路と敷地の境界に設けられるフェンスに限らず、ベランダやバルコニー等の柵等に設けられるパネル、窓の屋外側に設置される面格子等、いろいろなところに用いることができる。
【符号の説明】
【００２５】
１，１ａ，１ｂ，１ｃ，１ｄ  ルーバー
２  支柱
３ａ，３ｂ，３ｃ  ユニット
【図１】
2017150249.tif 000003
【図２】
2017150249.tif 000004
【図３】
2017150249.tif 000005
【図４】
2017150249.tif 000006
【図５】
2017150249.tif 000007
【図６】
2017150249.tif 000008
【図７】
2017150249.tif 000009
【図８】
2017150249.tif 000010
【図９】
2017150249.tif 000011
【図１０】
2017150249.tif 000012